(57)【要約】【課題】絞り孔は液槽部と各プランジャ孔との間を流通する作動液体の流量を規制し、この絞り作用により摩擦索車に回転抵抗が付与され、摩擦索車は低速に回転し、安全な降下速度で脱出降下することができる。【解決手段】内ハウジングに放射状に複数個のプランジャ孔６を設け、各プランジャ孔にプランジャ５を摺動自在に配置し、回転軸に複数個のプランジャを互いに異なる位相で外方に摺動させるカム体７を設け、外ハウジングと内ハウジングとの間に複数個のプランジャ孔に連通すると共に作動液体Ｌを封入した液槽部８を設け、内ハウジングに液槽部と各プランジャ孔との間を流通する作動液体の流量を規制する絞り孔９ａをもつ絞り部材９を設け、ハウジングに摩擦索車に制動力を付与可能な制動機構１２を設けてなる。【選択図】図１
2005106173.tif 000002
【特許請求の範囲】
【請求項１】
外ハウジングと内ハウジングからなるハウジングに回転軸を突設し、該回転軸に端部に使用者やゴンドラ等を連結可能な索体を掛回可能な摩擦索車を設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けてなり、上記ハウジングに上記摩擦索車に制動力を付与可能な制動機構を設けて構成したことを特徴とする脱出降下器具。
【請求項２】
上記制動機構として、上記を圧接可能な制動輪部材を対向配置し、上記ハウジングに操作軸を角度回動自在に設け、該操作軸に操作軸の正逆角度回動により該制動輪部材を圧接可能な操作カムを設けてなることを特徴とする請求項１記載の脱出降下器具。
【請求項３】
上記摩擦索車及び上記制動輪部材の各対向面に相互に嵌合可能な外テーパー面及び内テーパー面をそれぞれ形成してなることを特徴とする請求項２記載の脱出降下器具。
【請求項４】
上記ハウジングに上記操作軸を回動させる操作レバーを設け、該操作レバーに操作索体を連結してなることを特徴とする請求項２又は３記載の脱出降下器具。
【請求項５】
上記摩擦索車に上記索体を掛回可能な相互に略Ｖ状をなす対向一対の摩擦掛面からなる略Ｖ溝状の掛回部を設けてなることを特徴とする請求項１〜４のいずれか１項に記載の脱出降下器具。
【請求項６】
上記ハウジングに上記索体を上記摩擦索車に巻回案内可能な巻回案内部材を設けてなることを特徴とする請求項１〜５のいずれか１項に記載の脱出降下器具。
【請求項７】
上記ハウジングに上記索体を上記摩擦索車に圧接可能な圧接用部材を設けてなることを特徴とする請求項１〜６のいずれか１項に記載の脱出降下器具。
【請求項８】
上記液槽部内の作動液体を蓄積可能なアキュムレータ部を設けてなることを特徴とする請求項１〜７のいずれか１項に記載の記載の脱出降下器具。
【請求項９】
上記ハウジングに建物等に連結可能な連結固定部を設けてなることを特徴とする請求項１〜８のいずれか１項に記載の脱出降下器具。
【請求項１０】
上記索体の両端部にそれぞれゴンドラを連結してなることを特徴とする請求項１〜９のいずれか１項に記載の脱出降下器具。
【発明の詳細な説明】
【技術分野】
【０００１】
本発明は例えば緊急非常時に高層建物等から降下避難する際に用いられる脱出降下器具に関するものである。
【背景技術】
【０００２】
従来、この種の脱出降下器具として、例えば、人体支持用のロープを重ね巻きする回転ドラムと、回転ドラムの回転を減速装置を介して制動する制動装置とからなり、この制動装置がシリンダとオリフィスを有するピストンとからなるピストンシリンダ型式となっている構造のものが知られている。
【特許文献１】実開昭６４−１２５４８号公報
【発明の開示】
【発明が解決しようとする課題】
【０００３】
しかしながら上記従来構造の場合、予め高層建物等に組み込み設置される構造となっているため、可搬性がなくて、使用の融通性が低下しているとともに装置が大掛かりとなることがあるという不都合を有している。
【課題を解決するための手段】
【０００４】
本発明はこれらの不都合を解決することを目的とするもので、本発明のうちで、請求項１記載の発明は、外ハウジングと内ハウジングからなるハウジングに回転軸を突設し、該回転軸に端部に使用者やゴンドラ等を連結可能な索体を掛回可能な摩擦索車を設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けてなり、上記ハウジングに上記摩擦索車に制動力を付与可能な制動機構を設けて構成したことを特徴とする脱出降下器具にある。
【０００５】
又、請求項２記載の発明は、上記制動機構として、上記該摩擦索車を圧接可能な制動輪部材を対向配置し、上記ハウジングに操作軸を角度回動自在に設け、該操作軸に操作軸の正逆角度回動により該制動輪部材を圧接可能な操作カムを設けてなることを特徴とするものであり、又、請求項３記載の発明は、上記摩擦索車及び上記制動輪部材の各対向面に相互に嵌合可能な外テーパー面及び内テーパー面をそれぞれ形成してなることを特徴とするものであり、又、請求項４記載の発明は、上記ハウジングに上記操作軸を回動させる操作レバーを設け、該操作レバーに操作索体を連結してなることを特徴とするものである。
【０００６】
又、請求項５記載の発明は、上記摩擦索車に上記索体を掛回可能な相互に略Ｖ状をなす対向一対の摩擦掛面からなる略Ｖ溝状の掛回部を設けてなることを特徴とするものであり、又、請求項６記載の発明は、上記ハウジングに上記索体を上記摩擦索車に巻回案内可能な巻回案内部材を設けてなることを特徴とするものであり、又、請求項７記載の発明は、上記ハウジングに上記索体を上記摩擦索車に圧接可能な圧接用部材を設けてなることを特徴とするものである。
【０００７】
又、請求項８記載の発明は、上記液槽部内の作動液体を蓄積可能なアキュムレータ部を設けてなることを特徴とするものであり、又、請求項９記載の発明は、上記ハウジングに建物等に連結可能な連結固定部を設けてなることを特徴とするものであり、又、請求項１０記載の発明は、上記索体の両端部にそれぞれゴンドラを連結してなることを特徴とするものである。
【発明の効果】
【０００８】
本発明は上述の如く、請求項１記載の発明にあっては、索体の降下移動に伴って摩擦索車は回転し、摩擦索車の回転により回転軸に設けたカム体が回転し、カム体の回転により複数個のプランジャはプランジャ孔内を互いに異なる位相で外方に摺動し、プランジャの摺動により各プランジャ孔は液槽部を介して連通しているので、各プランジャは液槽部の作動液体の吸込又は吐出動作を繰り返すことになり、プランジャ孔から液槽部へと吐出される作動液体及び液槽部からプランジャ孔へと吸い込まれる作動液体は絞り部材の絞り孔を通過し、絞り孔は液槽部と各プランジャ孔との間を流通する作動液体の流量を規制し、この絞り作用により摩擦索車に回転抵抗が付与され、摩擦索車は低速に回転し、安全な降下速度で脱出降下することができ、この際、上記ハウジングに上記摩擦索車に制動力を付与可能な制動機構を設けているので、上記脱出降下途中や着地時において、摩擦索車に制動力を付与することにより降下速度を調節することができ、ゴンドラ内の使用者の総重量に応じて降下速度を調節することができ、安全に脱出降下することができる。
【０００９】
又、請求項２記載の発明にあっては、上記制動機構として、上記摩擦索車を圧接可能な制動輪部材を対向配置し、上記ハウジングに操作軸を角度回動自在に設け、操作軸に操作軸の正逆角度回動により制動輪部材を圧接可能な操作カムを設けてなるから、操作軸の正逆回動させることにより操作カムのカム作用により制動輪部材を介して摩擦索車に制動力を付与することができると共に解除することができ、確実に制動力を付与することができ、又、請求項３記載の発明にあっては、上記摩擦索車及び上記制動輪部材の各対向面に相互に嵌合可能な外テーパー面及び内テーパー面をそれぞれ形成してなるから、テーパー作用により一層確実に制動力を付与することができ、又、請求項４記載の発明にあっては、上記ハウジングに上記操作軸を回動させる操作レバーを設け、操作レバーに操作索体を連結してなるから、例えば、地上からや降下中のゴンドラ内から制動操作することができ、操作性を高めることができ、使用の利便性を高めることができる。
【００１０】
又、請求項５記載の発明にあっては、上記摩擦索車に上記索体を掛回可能な相互に略Ｖ状をなす対向一対の摩擦掛面からなる略Ｖ溝状の掛回部を設けてなるから、索体と摩擦掛面との摩擦力を楔作用により大きくすることができ、索体の降下により摩擦索車を確実に回転させることができ、それだけ、安全な降下速度で脱出降下することができ、又、請求項６記載の発明にあっては、上記ハウジングに上記索体を上記摩擦索車に巻回案内可能な巻回案内部材を設けてなるから、索体の摩擦索車に対する巻付角を確実に保持することができ、索体の降下により摩擦索車を確実に回転させることができ、それだけ、安全な降下速度で脱出降下することができ、又、請求項７記載の発明にあっては、上記ハウジングに上記索体を上記摩擦索車に圧接可能な圧接用部材を設けてなるから、使用者の体重に応じて索体が摩擦索車の半径上を移動しようとしても索体と摩擦掛面との接触を保持することができ、索体の降下により摩擦索車を確実に回転させることができ、それだけ、安全な降下速度で脱出降下することができる。
【００１１】
又、請求項８記載の発明にあっては、上記液槽部内の作動液体を蓄積可能なアキュムレータ部を設けているから、作動液体を蓄積することにより作動液体の温度変化等による液圧の変化に対応することができ、又、請求項９記載の発明にあっては、上記ハウジングに建物等に連結可能な連結固定部を設けてなるから、ハウジングと建物等の取付部位とを迅速に連結することができ、使用の利便性を高めることができ、又、請求項１０記載の発明にあっては、上記索体の両端部にそれぞれゴンドラを連結してなるから、一方のゴンドラで降下すると他方のゴンドラは上昇することになり、それだけ使用の利便性を高めることができる。
【発明を実施するための最良の形態】
【００１２】
図１乃至図９は本発明の実施の形態例を示し、１はハウジングであって、相互に固着された外ハウジング２と内ハウジング３からなり、外ハウジング２と内ハウジング３とは一体に形成され、この場合、内ハウジング３に軸受ハウジング３ａ固定し、この軸受ハウジング３ａに回転軸４を片持状態に回転自在に横設している。
【００１３】
５はプランジャであって、上記内ハウジング３に放射状に九個のプランジャ孔６を形成し、この各プランジャ孔６にそれぞれプランジャ５を摺動自在に嵌合配置している。
【００１４】
７はカム体であって、この場合、四個のカム凸部７ａが形成され、上記回転軸４に一体に形成され、このカム凸部７ａは上記九個のプランジャ５を互いに異なる位相で外方に摺動するように構成されている。
【００１５】
８は液槽部であって、上記外ハウジング２と内ハウジング３との間に環状に上記複数個のプランジャ孔６に連通して形成され、この液槽部８内に作動油等の作動液体Ｌを封入して構成している。
【００１６】
９は絞り部材であって、この場合、上記内ハウジング３の各プランジャ孔６に螺着固定して設けられ、液槽部８と各プランジャ孔６との間を流通する作動液体Ｌの流量を規制する絞り孔９ａが形成されている。
【００１７】
１０は摩擦索車であって、この場合、周面部にワイヤーやロープ等の索体Ｗを掛回可能な相互に略Ｖ状をなす対向一対の摩擦掛面Ｓ・Ｓからなる略Ｖ溝状の掛回部１１を形成してなり、この摩擦索車１０を回転軸４にキー４ａ及びナット４ｂにより固定して構成している。
【００１８】
この場合、上記索体Ｗの両端部にそれぞれゴンドラＧ・Ｇが連結されているが、索体Ｗの一方端部に使用者を直接連結するように構成することもある。
【００１９】
１２は制動機構であって、この場合、上記摩擦索車１０に該摩擦索車１０を圧接可能な制動輪部材１２ａをガイドピン１２ｂにより進退自在に対向配置し、上記ハウジング１に操作軸１３を角度回動自在に設け、操作軸１３に操作軸１３の正逆角度回動により制動輪部材１２ａを圧接可能な略長方形状の操作カム１３ａを設け、摩擦索車１０及び上記制動輪部材１２ａの各対向面に相互に嵌合可能な外テーパー面１２ｃ及び内テーパー面１２ｄをそれぞれ形成し、上記操作軸１３に上記操作軸１３を回動させる操作アーム１４ｃを固着し、ハウジング１の外周面に弧状ガイド溝１ａを形成し、操作アーム１４ｃに弧状ガイド溝１ａに摺動嵌合可能なガイドピン１４ａを突設し、操作アーム１４とハウジング１との間に復帰用バネ１４ｂを掛架し、操作アーム１４ｃに操作レバー１４を取付け、操作レバー１４に操作索体１４ｄを連結して構成している。
【００２０】
しかして、図６において、想像線位置から実線位置へと地上若しくはゴンドラＧの中から操作索体１４ｃを牽引して上記操作レバー１４をを介して操作軸１３をバネ部材１４ｂに抗して角度回動させると、操作カム１３ａは制動輪部材１２ａを圧接し、これにより制動輪部材１２ａは摩擦索車１０を外テーパー面１２ｃ及び内テーパー面１２ｄのテーパー作用を介して圧接し、この圧接により摩擦索車１０に制動力が付与され、そして、牽引を止めるとバネ部材１４ｂにより操作軸１３は逆回動し、カム作用が解除されるように構成している。
【００２１】
１５はアキュムレータ部であって、この場合、外ハウジング２に筒状の蓄圧部１６を突出形成し、この蓄圧部１６に液槽部８に連通する内孔１６ａを形成し、この内穴１６ａに蓄圧用プランジャ１７を摺動自在に設け、内穴１６ａの外方端部にプラグ１８を螺着固定すると共に蓄圧用プランジャ１７とプラグ１８との間に蓄圧用バネ１９を設け、ハウジング１に液量調節口２ａを形成すると共に液量調節口２ａに閉塞プラグ２ｂを螺着して構成している。
【００２２】
しかして、プラグ１８を開栓して内孔１６ａから液槽部８内に作動液体Ｌを注入し、蓄圧用プランジャ１７を内穴１６ａに挿入したのち、蓄圧用プランジャ１７に蓄圧用バネ１９を当接した状態でプラグ１８を螺着し、このとき、閉塞プラグ２ｂを取り外して液量調節口２ａから溢液して作動液体Ｌの量を調節し、閉塞プラグ２ｂを螺着して作動液体Ｌを液槽部８及び内孔１６ａに封止するようにしている。
【００２３】
２０は巻回案内部材であって、上記ハウジング１の外ハウジング２に軸受部２１を形成し、軸受部２１に対向一対の案内ロール２２・２２を回転自在に横設し、この案内ロール２２・２２により摩擦索車１０に掛回された索体Ｗを巻回案内するように構成している。
【００２４】
２３は圧接用部材であって、この場合、四組設けられ、上記ハウジング１の外ハウジング２に取付部材２４を取付け、この取付部材２４に圧接用部材２３を案内ピン２５により索体Ｗ方向に進退自在に設け、圧接用部材２３の端部と取付部材２４との間に弾圧用バネ２６を介在し、圧接用部材２３により摩擦索車１０に掛回された索体Ｗの表面を弾圧するように構成している。
【００２５】
２７は連結固定部であって、上記ハウジング１の外ハウジング２に突出形成され、連結固定部２７に建物Ｔやその他の固定的な部材等に止着された支持索体２８に連結される吊金具２７ａを連結可能な連結孔２７ｂを形成している。
【００２６】
この実施の形態例は上記構成であるから、例えば、図９の如く、ハウジング１の連結固定部２７を吊金具２７ａ及び支持索体２８により建物Ｔから突出したガイド部材に連結してハウジング１を吊下し、摩擦索車１０に掛回された索体Ｗの両端部にそれぞれゴンドラＧを連結し、地上若しくはゴンドラＧ内の使用者Ｍの操作索体１４ｄの牽引操作で制動機構１２により摩擦索車Ｗに制動力を付与した状態でゴンドラ内Ｇ内に使用者Ｍが乗り込み、乗り込み後に制動機構１２の制動力付与を解除することにより摩擦索車１０は索体Ｗの降下により回転し、このとき、図５、図６の如く、この摩擦索車１０の回転により回転軸４に設けたカム体７が回転し、カム体７の回転により複数個のプランジャ５はカム凸部７ａによりプランジャ孔６内を互いに異なる位相で外方に摺動することになり、このプランジャ５の摺動により図６の如く、各プランジャ孔６は液槽部８を介して連通しているので、各プランジャ５は液槽部８の作動液体Ｌの吸込又は吐出動作を繰り返すことになり、即ち、各プランジャ５のうちの或るプランジャ５はカム体７により液槽部８に吐出動作すると共に他の或るプランジャ５は液槽部８から吸込動作することになり、このとき、プランジャ孔６から液槽部８へと吐出される作動液体Ｌ及び液槽部８からプランジャ孔６へと吸い込まれる作動液体Ｌは絞り部材９の絞り孔９ａを通過することになり、この絞り孔９ａは液槽部８と各プランジャ孔６との間を流通する作動液体Ｌの流量を規制することになり、この絞り作用により摩擦索車１０に回転抵抗が付与され、摩擦索車１０は低速に回転し、安全な降下速度で脱出降下することになり、この際、上記ハウジング１に上記摩擦索車１０に制動力を付与可能な制動機構１２を設けているので、上記脱出降下途中や着地時において、摩擦索車１０に制動力を付与することにより降下速度を調節することができ、ゴンドラＧ内の使用者Ｍの総重量に応じて降下速度を調節することができ、安全に脱出降下することができる。
【００２７】
この場合、上記制動機構１２として、上記摩擦索車１０を圧接可能な制動輪部材１２ａを対向配置し、上記ハウジング１に操作軸１３を角度回動自在に設け、操作軸１３に操作軸１３の正逆角度回動により制動輪部材１２ａを圧接可能な操作カム１３ａを設けてなるから、操作軸１３の正逆回動させることにより操作カム１２ａのカム作用により制動輪部材１２ａを介して摩擦索車１０に制動力を付与することができると共に解除することができ、確実に制動力を付与することができ、かつ、この場合、上記摩擦索車１０及び上記制動輪部材１２ａの各対向面に相互に嵌合可能な外テーパー面１２ｃ及び内テーパー面１２ｄをそれぞれ形成してなるから、テーパー作用により一層確実に制動力を付与することができ、更に、この場合、上記ハウジング１に上記操作軸１３を回動させる操作レバー１４を設け、操作レバー１４に操作索体１４ｄを連結してなるから、地上からや降下中のゴンドラＧ内から制動操作することができ、操作性を高めることができ、使用の利便性を高めることができる。
【００２８】
又、この場合、上記摩擦索車１０に上記索体Ｗを掛回可能な相互に略Ｖ状をなす対向一対の摩擦掛面Ｓ・Ｓからなる略Ｖ溝状の掛回部１１を設けてなるから、索体Ｗと摩擦掛面Ｓ・Ｓとの摩擦力を楔作用により大きくすることができ、索体Ｗの降下により摩擦索車１０を確実に回転させることができ、それだけ、安全な降下速度で脱出降下することができ、又、この場合、上記ハウジング１に上記索体Ｗを上記摩擦索車１０に巻回案内可能な巻回案内部材２０を設けてなるから、索体Ｗの摩擦索車１０に対する巻付角を確実に保持することができ、索体Ｗの降下により摩擦索車１０を確実に回転させることができ、それだけ、安全な降下速度で脱出降下することができ、又、この場合、上記ハウジング１に上記索体Ｗを上記摩擦索車１０に圧接可能な圧接用部材２３を設けてなるから、使用者Ｍの体重に応じて索体Ｗが摩擦索車１０の半径上を移動しようとしても索体Ｗと摩擦掛面Ｓ・Ｓとの接触を保持することができ、索体Ｗの降下により摩擦索車１０を確実に回転させることができ、それだけ、安全な降下速度で脱出降下することができる。
【００２９】
又、この場合、上記液槽部８内の作動液体Ｌを蓄積可能なアキュムレータ部１５を設けているから、作動液体Ｌを蓄積することにより作動液体Ｌの温度変化等による液圧の変化に対応することができ、又、この場合、上記ハウジング１に建物Ｔ等に連結可能な連結固定部２７を設けてなるから、ハウジング１と建物等の取付部位とを迅速に連結することができ、使用の利便性を高めることができ、又、この場合、上記索体Ｗの両端部にそれぞれゴンドラＧを連結してなるから、一方のゴンドラＧで降下すると他方のゴンドラＧは上昇することになり、それだけ使用の利便性を高めることができる。
【００３０】
尚、本発明は上記実施の形態例に限られるものではなく、ハウジング１、摩擦索車１０、プランジャ５、カム体７、制動機構１２等の構造や材質、個数等は適宜変更して設計される。
【００３１】
以上、所期の目的を充分達成することができる。
【図面の簡単な説明】
【００３２】
【図１】本発明の実施の形態例の全体斜視図である。
【図２】本発明の実施の形態例の縦断面図である。
【図３】本発明の実施の形態例の平断面図である。
【図４】本発明の実施の形態例の横断面図である。
【図５】本発明の実施の形態例の横断面図である。
【図６】本発明の実施の形態例の部分断面図である。
【図７】本発明の実施の形態例の部分側断面図である。
【図８】本発明の実施の形態例の部分斜視図である。
【図９】本発明の実施の形態例の使用状態図である。
【符号の説明】
【００３３】
Ｗ    索体
Ｓ    摩擦面
Ｇ    ゴンドラ
Ｌ    作動液体
１    ハウジング
２    外ハウジング
３    内ハウジング
４    回転軸
５    プランジャ
６    プランジャ孔
７    カム体
８    液槽部
９    絞り部材
１０    摩擦索車
１１    掛回部
１２    制動機構
１３    操作軸
１４    操作レバー
１４ｄ    操作索体
１５    アキュムレーター部
２０    巻回案内部材
２３    圧接用部材
２７    連結固定部
【図１】
2005106173.tif 000003
【図２】
2005106173.tif 000004
【図３】
2005106173.tif 000005
【図４】
2005106173.tif 000006
【図５】
2005106173.tif 000007
【図６】
2005106173.tif 000008
【図７】
2005106173.tif 000009
【図８】
2005106173.tif 000010
【図９】
2005106173.tif 000011